(57)【要約】【課題】  簡単な操作で手帳等のページ画像を取り込み、管理することができる手帳管理装置を提供すること。【解決手段】  手帳のページ画像を管理する手帳管理装置であって、手帳の見開き画像における左右のページを分割するための分割位置を決定する分割手段と、前記分割位置に基づいて、前記見開き画像から見開きの左右各ページについてページ画像を作成するページ画像作成手段と、前記見開き画像に前記分割位置を重ねて表示する画像確認部及びページ画像のサンプルを手帳の各ページに対応付けて表示するサンプルページ表示部を含むページ保存画面を表示処理する表示手段と、前記ページ保存画面を介して、前記画像確認部における見開きの左右何れかのページ画像の選択及び前記サンプルページ表示部に表示された手帳のページの選択を受け付け、選択されたページ画像を、選択されたページに紐づけて保存するページ保存手段と、を備えることを特徴とする。【選択図】図１
2019179461.tif 000002
【特許請求の範囲】
【請求項１】
手帳のページ画像を管理する手帳管理装置であって、
手帳の見開き画像における左右のページを分割するための分割位置を決定する分割手段と、
前記分割位置に基づいて、前記見開き画像から見開きの左右各ページについてページ画像を作成するページ画像作成手段と、
前記見開き画像に前記分割位置を重ねて表示する画像確認部及びページ画像のサンプルを手帳の各ページに対応付けて表示するサンプルページ表示部を含むページ保存画面を表示処理する表示手段と、
前記ページ保存画面を介して、前記画像確認部における見開きの左右何れかのページ画像の選択及び前記サンプルページ表示部に表示された手帳のページの選択を受け付け、選択されたページ画像を、選択されたページに紐づけて保存するページ保存手段と、を備えることを特徴とする、手帳管理装置。
【請求項２】
前記表示手段は、手帳の見開きを撮影するための撮影ガイドを含む撮影画面を表示処理することを特徴とする、請求項１に記載の手帳管理装置。
【請求項３】
前記表示手段は、保存したページ画像を手帳のページと対応付けて表示する閲覧画面を表示処理し、前記閲覧画面を介して、前記撮影画面を表示する為の操作を受け付け、前記表示手段が前記撮影画面を表示処理することを特徴とする、請求項２に記載の手帳管理装置。
【請求項４】
前記サンプルページ表示部のサンプルは、各ページにページ画像が保存されている場合には保存されたページ画像を表示し、ページ画像が保存されていない場合には各ページに対応したサンプル画像を表示することを特徴とする、請求項１〜３の何れかに記載の手帳管理装置。
【請求項５】
画像に含まれる見開きの頂点を決定し、前記見開き画像を作成する頂点決定手段を更に備え、
前記分割手段は、前記頂点に基づいて前記分割位置を決定することを特徴とする、請求項１〜４の何れかに記載の手帳管理装置。
【請求項６】
複数の手帳のページ画像を手帳ごとに記憶する記憶手段を更に備えることを特徴とする、請求項１〜５の何れかに記載の手帳管理装置。
【請求項７】
前記表示手段が、手帳全体のページのうち、ページ画像が保存されているページの割合を表示処理することを特徴とする、請求項１〜６の何れかに記載の手帳管理装置。
【請求項８】
手帳のページ画像を管理するための手帳管理プログラムであって、
コンピュータを、手帳の見開き画像における左右のページを分割するための分割位置を決定する分割手段と、
前記分割位置に基づいて、前記見開き画像から見開きの左右各ページについてページ画像を作成するページ画像作成手段と、
前記見開き画像に前記分割位置を重ねて表示する画像確認部及びページ画像のサンプルを手帳の各ページに対応付けて表示するサンプルページ表示部を含むページ保存画面を表示処理する表示手段と、
前記ページ保存画面を介して、前記画像確認部における見開きの左右何れかのページ画像の選択及び前記サンプルページ表示部に表示された手帳のページの選択を受け付け、選択されたページ画像を、選択されたページに紐づけて保存するページ保存手段と、として機能させることを特徴とする、手帳管理プログラム。
【請求項９】
手帳のページ画像を管理するための手帳管理方法であって、
手帳の見開き画像における左右のページを分割するための分割位置を決定する分割ステップと、
前記分割位置に基づいて、前記見開き画像から見開きの左右各ページについてページ画像を作成するページ画像作成ステップと、
前記見開き画像に前記分割位置を重ねて表示する画像確認部及びページ画像のサンプルを手帳の各ページに対応付けて表示するサンプルページ表示部を含むページ保存画面を表示処理する表示ステップと、
前記ページ保存画面を介して、前記画像確認部における見開きの左右何れかのページ画像の選択及び前記サンプルページ表示部に表示された手帳のページの選択を受け付け、選択されたページ画像を、選択されたページに紐づけて保存するページ保存ステップと、をコンピュータが実行することを特徴とする、手帳管理方法。
【発明の詳細な説明】
【技術分野】
【０００１】
本発明は、手帳のページ画像を管理する為の手帳管理装置、手帳管理プログラム及び手帳管理方法に関する。
【背景技術】
【０００２】
近年、電子書籍が普及し、紙の書籍や手帳の電子化に対する要望が高まっている。また、紛失等に備えて、手帳等の内容を画像データとしてバックアップを保存することも重視されている。このことから、ページの画像を管理する技術が知られている。例えば、特許文献１には、筆記帳のページを撮影してページ画像を取り込み、管理することのできる情報処理端末が記載されている。
【０００３】
また、特許文献２には、書籍を見開いた２ページ分のイメージデータを、イメージスキャナを用いて一度にコンピュータに取り込み、１ページ分ずつのデータへの分割を行い、入力操作の手間を減らすことができるイメージデータのファイリング装置が記載されている。
【先行技術文献】
【特許文献】
【０００４】
【特許文献１】特開２０１３−９８９１４号公報
【特許文献２】特開平４−２６３３７０号公報
【発明の概要】
【発明が解決しようとする課題】
【０００５】
しかし、特許文献１に記載の情報処理端末では、メモや手帳を１ページずつ撮影する必要があり、ページ画像の取り込みに手間がかかるという課題があった。
【０００６】
これに対し特許文献２に記載のイメージデータのファイリング装置では、書籍を見開いた２ページ分のイメージデータを一度に読み取ることができ、入力操作の手間を減らすことができる。しかし、書籍が縦書か横書かを示す文字列方向情報に基づいて、左右のページの順番を決定するのみであるため、書籍全体を管理する為には、読み取ったページが書籍の何ページ目であるかを、別途ページを確認しながら入力する必要があった。
【０００７】
そこで、本発明では、簡単な操作で手帳のページ画像を取り込み、管理することができる手帳管理装置を提供することを課題とする。
【課題を解決するための手段】
【０００８】
上記課題を解決するために、本発明は、手帳のページ画像を管理する手帳管理装置であって、
手帳の見開き画像における左右のページを分割するための分割位置を決定する分割手段と、
前記分割位置に基づいて、前記見開き画像から見開きの左右各ページについてページ画像を作成するページ画像作成手段と、
前記見開き画像に前記分割位置を重ねて表示する画像確認部及びページ画像のサンプルを手帳の各ページに対応付けて表示するサンプルページ表示部を含むページ保存画面を表示処理する表示手段と、
前記ページ保存画面を介して、前記画像確認部における見開きの左右何れかのページ画像の選択及び前記サンプルページ表示部に表示された手帳のページの選択を受け付け、選択されたページ画像を、選択されたページに紐づけて保存するページ保存手段と、を備えることを特徴とする。
【０００９】
このように、見開き画像から左右のページそれぞれのページ画像を作成することで、ページの取り込みの手間を減らすことができる。また、画像確認部及びサンプルページ表示部を同一画面に表示し、それぞれから保存したいページ画像及び手帳のページをユーザが選択するだけで手帳のページに紐づけてページ画像を保存できるため、煩雑な入力を伴うことなくページ画像の取り込みができる。更に、サンプルページ表示部にページ画像のサンプルを手帳の各ページに対応付けて表示することにより、ユーザは各ページのサンプルを確認しながら保存するページを選択することができるため、入力のミスを減らす効果が期待できる。
【００１０】
本発明の好ましい形態では、前記表示手段は、手帳の見開きを撮影するための撮影ガイドを含む撮影画面を表示処理することを特徴とする。
このように、撮影画面において撮影ガイドを表示することで、ユーザが撮影ガイドに従って撮影を行い、ページ画像の作成等がしやすい画像を得られる効果が期待できる。
【００１１】
本発明の好ましい形態では、前記表示手段は、保存したページ画像を手帳のページと対応付けて表示する閲覧画面を表示処理し、前記閲覧画面を介して、前記撮影画面を表示する為の操作を受け付け、前記表示手段が前記撮影画面を表示処理することを特徴とする。
このように、閲覧画面を介して撮影画面を表示する為の操作を受け付け、その操作に応じて撮影画面を表示することにより、より簡単にページ画像の取り込みを行うことができる。例えば、ユーザが保存したページ画像を閲覧している時に、ページ画像が保存されていないページがあることに気づいた場合には、煩雑な操作を行うことなく撮影画面を表示させて撮影を行うことができる。
【００１２】
本発明の好ましい形態では、前記サンプルページ表示部のサンプルは、各ページにページ画像が保存されている場合には保存されたページ画像を表示し、ページ画像が保存されていない場合には各ページに対応したサンプル画像を表示することを特徴とする。
このように、サンプルページ表示部において、各ページに紐づけて保存されたページ画像を表示することで、ユーザは画像確認部に表示された見開き画像と見比べて保存先のページを確認することができ、操作性が向上する。また、ページ画像が保存されていない場合にも手帳の各ページに対応したサンプル画像を表示することにより、ユーザは各ページを識別しやすくなり、意図しないページを選択してしまう等の誤操作を減らす効果が期待できる。
【００１３】
本発明の好ましい形態では、画像に含まれる見開きの頂点を決定し、前記見開き画像を作成する頂点決定手段を更に備え、
前記分割手段は、前記頂点に基づいて前記分割位置を決定することを特徴とする。
このように、画像の中から見開きの頂点を決定して見開き画像を作成することで、見開き画像を作成するために厳格に枠に収まるように撮影を行う必要がなくなり、見開きの撮影が容易になる。また、決定された頂点に基づいて分割位置を決定することにより、より正確に左右の各ページについてページ画像を作成することができる。
【００１４】
本発明の好ましい形態では、複数の手帳のページ画像を手帳ごとに記憶する記憶手段を更に備えることを特徴とする。
このように、手帳ごとにページ画像を管理することにより、複数の手帳をひとつの手帳管理装置で管理することができる。例えば、複数の子を持つユーザが母子手帳を管理する場合には、子供ごとの手帳を区別しながらひとつの装置で一括して手帳を管理することができ、利便性が向上する。
【００１５】
本発明の好ましい形態では、前記表示手段が、手帳全体のページのうち、ページ画像が保存されているページの割合を表示処理することを特徴とする。
これにより、全体のうちどの程度のページ画像が保存されているかが一目瞭然となる。ユーザは記入したページの割合とページ画像が保存されている割合とを照らし合わせることで、十分にページ画像の取り込みが行われているかを容易に判断することができるため、ページ画像を取り込み忘れるリスクを減らす効果が期待できる。
【００１６】
本発明は、手帳のページ画像を管理するための手帳管理プログラムであって、
コンピュータを、手帳の見開き画像における左右のページを分割するための分割位置を決定する分割手段と、
前記分割位置に基づいて、前記見開き画像から見開きの左右各ページについてページ画像を作成するページ画像作成手段と、
前記見開き画像に前記分割位置を重ねて表示する画像確認部及びページ画像のサンプルを手帳の各ページに対応付けて表示するサンプルページ表示部を含むページ保存画面を表示処理する表示手段と、
前記ページ保存画面を介して、前記画像確認部における見開きの左右何れかのページ画像の選択及び前記サンプルページ表示部に表示された手帳のページの選択を受け付け、選択されたページ画像を、選択されたページに紐づけて保存するページ保存手段と、として機能させることを特徴とする。
【００１７】
本発明は、手帳のページ画像を管理するための手帳管理方法であって、
手帳の見開き画像における左右のページを分割するための分割位置を決定する分割ステップと、
前記分割位置に基づいて、前記見開き画像から見開きの左右各ページについてページ画像を作成するページ画像作成ステップと、
前記見開き画像に前記分割位置を重ねて表示する画像確認部及びページ画像のサンプルを手帳の各ページに対応付けて表示するサンプルページ表示部を含むページ保存画面を表示処理する表示ステップと、
前記ページ保存画面を介して、前記画像確認部における見開きの左右何れかのページ画像の選択及び前記サンプルページ表示部に表示された手帳のページの選択を受け付け、選択されたページ画像を、選択されたページに紐づけて保存するページ保存ステップと、をコンピュータが実行することを特徴とする。
【発明の効果】
【００１８】
本発明によれば、簡単な操作で手帳のページ画像を取り込み、電子データとして管理することができる。
【図面の簡単な説明】
【００１９】
【図１】本発明の一実施形態における手帳管理装置の機能ブロック図である。
【図２】本発明の一実施形態におけるページ画像の保存に係る処理の流れを示すフローチャートである。
【図３】本発明の一実施形態における撮影画面の表示例を示す図である。
【図４】本発明の一実施形態における撮影画像と見開き画像の一例を示す図である。
【図５】本発明の一実施形態におけるページ保存画面の表示例を示す図である。
【図６】本発明の一実施形態における閲覧画面の表示例を示す図である。
【図７】本発明の一実施形態における管理画面の表示例を示す図である。
【発明を実施するための形態】
【００２０】
以下、本発明の一実施形態について、図面を用いて詳細に説明する。本発明に係る手帳管理装置は、手帳の各ページに対応するページ画像を記憶し、閲覧可能に提供することで、電子的に手帳の管理を行う。なお、本実施形態においては母子手帳を管理するための手帳管理装置を例示するが、本発明は管理する手帳の種類や構成を限定するものではなく、様々な構成を採用することができる。
【００２１】
本発明において、見開き画像とは、手帳の見開きを撮影した撮影画像から得られる画像を指す。本実施形態においては、手帳の見開きを撮影した画像を加工して、見開き以外の部分を切り取り、形状を補正した画像を見開き画像とする。見開き画像は必ずしも加工された撮影画像である必要はなく、撮影画像そのものを見開き画像として用いても構わない。
【００２２】
また、ページ画像とは、手帳の各ページを表す画像を指し、手帳のページに対応付けて保存される。本実施形態においては、ひとつの見開き画像を左右のページに分割して２つのページ画像を作成する。
【００２３】
また、ページ画像のサンプルとは、手帳の各ページの見本を指し、各ページに紐づいて保存されているページ画像及び各ページに対応するサンプル画像を含む。サンプル画像としては、各ページを識別可能な画像を用いることが好ましい。
【００２４】
本実施形態における手帳管理装置は母子手帳に含まれるページを記憶しており、母子手帳のページに対応付けてページ画像を保存できるように構成される。日本における母子手帳は５２ページ目までの内容が地域等によらず共通しており、本実施形態においてはその内容に対応するページごとのサンプル画像を予め記憶している。
【００２５】
図１は、本実施形態に係る手帳管理装置の機能ブロック図である。ここに示すように、本実施形態における手帳管理装置１は、手帳の見開きの撮影を行う撮影手段２と、撮影手段２によって撮影された撮影画像に含まれる見開きの頂点を決定し、見開き画像を作成する頂点決定手段３と、見開き画像における左右のページの分割位置を決定する分割手段４と、分割位置に基づいてページ画像を作成するページ画像作成手段５と、ユーザによる操作に応じて、手帳のページに紐づけてページ画像を保存するページ保存手段６と、ページ保存画面を表示処理する表示手段７と、手帳ごとにページ画像を記憶する記憶手段８と、を備える。
【００２６】
手帳管理装置１としては、演算装置、主記憶装置、補助記憶装置、カメラやディスプレイ装置等を含む種々の入出力装置等を備えた、一般的なコンピュータ装置を利用することができる。本実施形態においてはタッチパネルディスプレイを備えるスマートフォンを例示するが、この他に、タブレット端末等を用いてもよい。具体的には、手帳の管理に関する入出力を行うための手帳管理プログラムを補助記憶装置に記憶させ、主記憶装置上に展開することで、一般的なコンピュータ装置を本実施形態における手帳管理装置１として機能させることができる。
【００２７】
図２は、本実施形態におけるページ画像の保存に係る処理の流れを示す図である。まず、ステップＳ１において、表示手段７が撮影画面の表示処理を行い、手帳管理装置１の備えるタッチパネルディスプレイおいて撮影画面を表示する。図３は、撮影画面の表示例である。ここに示すように、撮影画面Ｄ１は、撮影ガイドＤ１１及び撮影ボタンＤ１２を備える。本実施形態においては、図３において点線で表される撮影範囲の四隅を表すＬ字状の印を撮影ガイドＤ１１として表示し、撮影範囲の外側をすりガラスを通して見るようなぼかし画像に加工して表示することで、撮影範囲を表現する。このように、撮影画面Ｄ１において撮影ガイドを表示することにより、ユーザは簡単に見やすい画像を撮影することができる。ユーザによって撮影ボタンＤ１２が操作されると、撮影手段２がこれを受け付けて撮影を実行し、撮影画像を作成する（ステップＳ２）。
【００２８】
次に、ステップＳ３において、頂点決定手段３が見開き画像を作成する。図４（ａ）、（ｂ）は、それぞれ撮影画像と見開き画像の模式図である。本実施形態においては、頂点決定手段３が図４（ａ）のような撮影画像から見開きの４つの頂点（図４（ａ）における四角印）を検出し、それらの頂点により決定される四角形の各辺を見開きの外輪郭として決定する。なお、頂点の検出は、画像の輝度等に基づいて自動的に行ってもよいし、ユーザによる見開きの頂点や外輪郭の指定操作を受け付けて、それに応じて行ってもよい。頂点決定手段３は、見開きの外輪郭を決定すると、外輪郭の内側を切り出して予め規定された手帳の大きさに基づいて形状や色調等を補正し、図４（ｂ）に示すような見開き画像を作成する。
【００２９】
ステップＳ３において見開き画像が作成されると、ステップＳ４において、分割手段４が見開き画像における左右のページの分割位置を決定する。本実施形態においては、ステップＳ３で頂点決定手段３が決定した見開きの外輪郭に基づいて、見開きを左右半分に分ける線分を、分割位置とする。なお、分割手段４が分割位置の指定や調整を行う為の入力をユーザから受け付け、これに基づいて分割位置を決定してもよい。ページ画像作成手段５は、このようにして決定された分割位置に基づいて左右それぞれのページについてページ画像を作成する。
【００３０】
なお、ステップＳ３において、見開きの４つの頂点の検出に加えて、分割手段４が左右のページの境目と見開きの外輪郭の交点（図４（ａ）における丸印）を検出し、この２点を結ぶ線分を分割位置としてもよい。この場合には、ステップＳ４においてページ画像作成手段５が左右それぞれのページの頂点に基づいてページの輪郭を決定し、輪郭の内側を切り出して形状や色調等を補正することで、左右のページそれぞれについてページ画像を作成してもよい。なお、この場合には、外輪郭及び分割位置の決定は図２に示す順序で行われる必要はなく、同時に行ってもよい。
【００３１】
ステップＳ４でページ画像が作成されると、ステップＳ５において、表示手段７がページ保存画面を表示処理し、手帳管理装置１の備えるタッチパネルディスプレイにおいて表示する。図５は、ページ保存画面の表示例を示す図である。ここに示すように、ページ保存画面Ｄ２は、画像確認部Ｄ２１及びサンプルページ表示部Ｄ２２を備える。
【００３２】
画像確認部Ｄ２１には、ステップＳ３において作成された見開き画像に重ねて、ステップＳ４で決定された分割位置Ｄ２１１が表示されている。図５においては左右それぞれのページ画像を囲う点線で分割位置が表示されるが、左右のページ画像の分割位置がわかるような任意の形式で表示してよい。
【００３３】
サンプルページ表示部Ｄ２２には、母子手帳の各ページに対応したページ画像のサンプルが、ページ順に並べて表示される。本実施形態においては、ページ画像が保存されているページについては、保存されたページ画像をサンプルとして表示し、ページ画像が保存されていないページについては、予め記憶しているサンプル画像を表示する。サンプル画像としては、ユーザによって保存されたページ画像と区別ができるような画像を用いることが好ましい。本実施形態においては、母子手帳の各ページの記載内容に基づいて作成された画像に、「サンプル」と表示する印を重ねたものをサンプル画像として用いる。なお、本実施形態においては、サンプルページ表示部Ｄ２２上を左右にスライド（ドラッグ）する操作を受け付け、操作に応じて前後に移動したページのサンプルを表示手段７が表示処理する。
【００３４】
本実施形態においては、画像確認部Ｄ２１に表示された見開き画像から、左右何れかのページ画像を長押しする操作によってページ画像の選択を受け付ける。更に、ページ画像を選択した後、そのままサンプルページ表示部Ｄ２２の何れかのページの上にスライド（ドラッグ）して指を離す操作により、手帳のページの選択を受け付ける。なお、ページ画像の選択及び保存先の手帳のページの選択は、任意の方法、例えばタップ操作等によって行われてもよく、また、選択の順序が逆転してもよい。図５においては、画像確認部Ｄ２１を介して見開き画像の左側のページ画像を選択し、サンプルページ表示部Ｄ２２における一番左側のページを選択した状態のページ保存画面Ｄ２の表示例を示す。このように、本実施形態においては、選択済みのページ画像及び選択済みのサンプルが、未選択のものとは識別可能に表示される。
【００３５】
このようにして少なくとも１つのページ画像と保存先のページを選択し、保存ボタン（図５における「保存」）を操作することにより、ページ画像の保存操作が受け付けられる（ステップＳ６）。保存ボタンが操作されない場合には、保存ボタンが操作されるまでステップＳ６を繰り返して待機する。また、ページ保存画面Ｄ２においてキャンセルボタン（図５における「キャンセル」）が操作されると、ページ画像の保存を中止して、表示手段７が撮影画面Ｄ１を表示処理する。
【００３６】
保存ボタンが操作されるとステップＳ７に進み、ページ保存手段６が、画像確認部Ｄ２１において選択されたページ画像を、サンプルページ表示部Ｄ２２において選択されたページに紐づけて保存する。この時、保存先のページとして、既にページ画像が保存されているページが選択された場合には、保存済みのページ画像を新しいページ画像で置き換える。即ち、手帳への追記などによりページ画像を更新したい場合には、上述した手順で再度ページ画像の保存を行えばよい。
【００３７】
以上のようにして、ページ画像の長押し操作とスライド（ドラッグ）操作によってページ画像の選択及び保存先のページの選択が受け付けられることにより、ユーザは単純かつ感覚的にわかりやすい操作でページ画像の保存を行うことができる。
【００３８】
保存されたページ画像は、閲覧画面を介して確認することができる。図６は、閲覧画面の表示例を示す図である。本実施形態における閲覧画面Ｄ３は、ページ番号表示部Ｄ３１と、画像取り込みボタンＤ３２と、手帳選択ボタンＤ３３と、を備える。ページ番号表示部Ｄ３１は、表示しているページのページ番号と、手帳全体における当該ページの位置を表示する。画像取り込みボタンＤ３２の操作を受け付けると、表示手段７が撮影画面Ｄ１を表示処理し、ページ画像の取り込みを行うことができるようになる。手帳選択ボタンＤ３３を操作すると、手帳の選択肢が表示され、手帳の選択を受け付ける。本実施形態においては、複数の母子手帳を子供ごとに記憶しており、手帳選択ボタンＤ３３の操作によって、管理する手帳を切り替えることができる。
【００３９】
本実施形態では、閲覧画面Ｄ３においては一般的な電子書籍リーダーアプリケーション等と同様の操作が可能である。具体的には、表示されているページ画像上を左右にスワイプ操作することで隣のページに移動でき、ページ番号表示部Ｄ３１をスライド（ドラッグ）操作することにより、任意のページに移動できるように構成される。
【００４０】
図７は、本実施形態に係る手帳管理装置１に登録済みの子供の情報を確認するための管理画面Ｄ４の表示例を示す図である。本実施形態において、表示手段７は、ユーザの操作に応じて管理画面Ｄ４を表示処理する。管理画面Ｄ４は、手帳全体のページのうち、ページ画像が保存されているページの割合を表示する記録率表示部Ｄ４１を含む。なお、ページ画像が保存されているページの割合は、管理画面Ｄ４において表示する必要はなく、ページ保存画面Ｄ２や閲覧画面Ｄ３等、任意の画面において表示してもよい。また、図７に示すように、本実施形態においては、母子手帳の情報以外にも、子供の名前、生年月日や病気の記録等を記憶し、管理画面Ｄ４において表示する。
【００４１】
このように、手帳ごとに区別してページ画像を記憶することにより、ひとつの手帳管理装置１で複数の手帳を一括して管理することができる。本実施形態においては、子供ごとに区別して母子手帳を管理することができ、利便性が向上する。
【００４２】
以上のようにしてページ画像の管理を行うことにより、簡単な操作でページ画像を保存し、管理することができる。これによってユーザは手帳に記載した内容のバックアップを簡単にとることができ、紛失や破損のリスクに備えることができる。また、見開きを撮影するだけで手帳の内容を保存できるため、煩雑な入力作業が不要であり、手帳を簡易的に電子化したいという要望に応えることができる。
【符号の説明】
【００４３】
１  手帳管理装置
２  撮影手段
３  頂点決定手段
４  分割手段
５  ページ画像作成手段
６  ページ保存手段
７  表示手段
８  記憶手段
Ｄ１  撮影画面
Ｄ１１  撮影ガイド
Ｄ１２  撮影ボタン
Ｄ２  ページ保存画面
Ｄ２１  画像確認部
Ｄ２１１  分割位置
Ｄ２２  サンプルページ表示部
Ｄ３  閲覧画面
Ｄ３１  ページ番号表示部
Ｄ３２  画像取り込みボタン
Ｄ３３  手帳選択ボタン
Ｄ４  管理画面
Ｄ４１  記録率表示部
【図１】
2019179461.tif 000003
【図２】
2019179461.tif 000004
【図３】
2019179461.tif 000005
【図４】
2019179461.tif 000006
【図５】
2019179461.tif 000007
【図６】
2019179461.tif 000008
【図７】
2019179461.tif 000009